(57)【特許請求の範囲】
【請求項１】
底壁上方の開口周縁に嵌合フランジを有する容器本体と、この容器本体の前記嵌合フランジに内嵌合または外嵌合される嵌合フランジを有し、この嵌合フランジの内方より立ち上がる立上壁上の天板とを有する蓋体とからなる電子レンジ対応食品用包装用容器であって、
前記容器本体は、フィラー入りポリプロピレンからなる合成樹脂シートをシート成形したものであり、
前記容器本体の収納室を、前記底壁から立ち上がる仕切部によって区画するとともに、この仕切部の上面全体に嵌合凹溝を形成し、
前記蓋体の天板裏面の、前記容器本体側の仕切部と同一位置に仕切部を形成するとともに、この仕切部の内端面に前記嵌合凹溝に収納する嵌合凸リブを形成し、
前記仕切部の内端面の先端が、当該先端の全幅にわたり、前記嵌合凹溝の内側に位置していることを特徴とする電子レンジ対応食品用包装用容器。
【請求項２】
前記蓋体側の仕切部の幅を、前記容器本体側の仕切部上面の幅以下としたことを特徴とする請求項１に記載の電子レンジ対応食品用包装用容器。 
【発明の詳細な説明】
【技術分野】
【０００１】
本発明は、容器本体と、これに嵌合される蓋体とからなる包装用容器に関し、特に、容器本体内に仕切部を有する包装用容器に関するものである。
【背景技術】
【０００２】
容器本体と、これに嵌合される蓋体とからなる包装用容器は、合成樹脂シートを材料として形成できるため安価かつ衛生的に提供できるし、内部に密閉空間を形成できるから、所謂「コンビニ弁当」の容器としても、またスーパー等で販売される「惣菜」用の容器としても、種々なものがワンウェイ容器として提案されてきている。
【０００３】
特に、容器本体内に仕切部を有する包装用容器に関しては、仕切部にて内容物を仕切ることができるから、弁当のご飯や種類の異なる惣菜を詰めるものとして便利であり、出願人も特許文献１としてこの種の包装用容器を提案してきている。勿論、このような容器本体内に仕切部を有する包装用容器の例としては、特許文献２や特許文献３に見られるようなものもある。
【先行技術文献】
【特許文献】
【０００４】
【特許文献１】特開２０１３−４９４３９号公報  、要約
【特許文献２】実開昭６１−１６１２３３号公報
【特許文献３】実用新案登録第２５５９６６３号  掲載公報
【発明の概要】
【発明が解決しようとする課題】
【０００５】
出願人が提案した特許文献１に記載された発明は、
「（１）本体側仕切りに嵌合される、蓋側仕切りの左右に形成される溝を、他の溝より浅くして、蓋側仕切り及び蓋体自体の剛性を高めること（剛性の確保）
（２）蓋側仕切りの左右に形成される溝を、他の溝より浅くして、この蓋側仕切りの近傍での延伸を大きくしないようにすること（シート成形性の向上）
（３）蓋体の天板を、蓋側仕切りの左右に形成される溝によっては小さくならないようにすること（視認性の確保）」
を同時的に解決することを目的として、
「開口周縁に突条フランジを有する容器本体と、前記突条フランジに内外嵌合される嵌合フランジを有し、この嵌合フランジの内側に溝が形成され、この溝の内側にて立ち上げ壁によって前記嵌合フランジ上面より高くされた天板を有した蓋体とからなる包装用容器
であって、
前記容器本体を、底壁から立ち上がる本体側仕切りを備えたものとし、
前記蓋体を、前記本体側仕切りに嵌合される蓋側仕切りを備えたものとするとともに、この蓋側仕切りの両側に、前記溝の底面より高く前記天板より低い段差を備えたものとしたことを特徴とする包装用容器。」
という構成を有したものである。
【０００６】
この特許文献１に記載された発明は、これはこれで当初の目的を達成できて、十分満足のいくものではあるが、この種の包装用容器は、上述したように、合成樹脂シートを所謂「シート成形」することによって製造されることが一般的であり、弁当のご飯や総菜を収納した状態のこの種の容器毎「電子レンジ」等による加熱を行った場合に、熱によって容器が変形することがある。つまり、この種の包装用容器においては、
（４）容器毎加熱を行った場合に、熱によって蓋体が変形しないようにすること
（熱影響の回避）
が求められているのである。
【０００７】
また、特許文献２には、「食品が交じり合わず、その液汁も仕切部も外や隣に流れない容器を提供すること」を目的としてなされ、図５の（ａ）にも示すように、「蓋体３には、容器本体１の室６の上縁８及び仕切部２の上縁１０に対応して連続的に密接可能な断面逆Ｕ字型に形成した当接部４が内設してある」とした発明が記載されており、これにより、確かに仕切と液漏れが防止できるものとなっている。
【０００８】
しかしながら、この特許文献２に記載された容器についても、内容物を入れたまま電子レンジ等に掛けると、次の理由によって蓋体の変形が発生し易い。何故なら、この特許文献２の容器では、図４の（ｂ）に示すように、断面逆Ｕ字型に形成した当接部４に上から嵌合している蓋体部分は、当接部４の両側で垂れ下がった状態にあり、この部分は、油の多い揚げ物総菜等が接触し易くなっていて、この蓋体に付着した油分が加熱されると直ちに加熱される部分となっているからである。
【０００９】
一般的に、容器本体は剛性が高くある程度の耐熱性を有する材料によって形成されているが、蓋体は、収納物への異物の混入や、外部からの視認を容易にするために、剛性や耐熱性を犠牲にした、容器本体より薄い合成樹脂シートによって成形されることが多い。このため、特許文献２の断面逆Ｕ字型に形成した当接部４に上から嵌合している蓋体部分は、電子レンジ等に掛けたとき、熱による変形を来すのであり、この当接部４の変形は仕切部を介して蓋体全体に影響を与え、蓋体自体が大きく変形してしまうのである。以上のことは、図５の（ｂ）に示すような、特許文献３での仕切部についても同様に言えるのである。
【００１０】
そこで、本発明者等は、弁当容器とも惣菜容器ともなり、容器毎電子レンジ等で加熱されることがあり、さらに、できるだけ薄くして材料費を軽減したい蓋体を有する包装用容器について、電子レンジ等に掛けたときにも変形を来さず、内容物への仕切りも確実に行えるものとするにはどうしたらよいか、について種々検討を重ねてきた結果、容器本体と蓋体との各仕切部に工夫を施すことによって良い結果が得られることを新規に知見して、本発明を完成したのである。
【００１１】
すなわち、本発明の目的とするところは、内容物の仕切が行えて、容器毎電子レンジ等に掛けたとしても、蓋体の変形を来すことのないように、内容物の接触による熱影響の回避が行える容器本体と蓋体とからなる包装用容器を提供することにある。
【課題を解決するための手段】
【００１２】
以上の課題を解決するために、まず、請求項１に係る発明の採った手段は、後述する最良形態の説明中で使用する符号を付して説明すると、
「底壁１１上方の開口周縁に嵌合フランジ１２を有する容器本体１０と、この容器本体１０の嵌合フランジ１２に内嵌合または外嵌合される嵌合フランジ２２を有し、この嵌合フランジ２２の内方より立ち上がる立上壁２１ａ上の天板２１とを有する蓋体２０とからなる電子レンジ対応食品用包装用容器１００であって、
容器本体１０は、フィラー入りポリプロピレンからなる合成樹脂シートをシート成形したものであり、
容器本体１０の収納室を、底壁１１から立ち上がる仕切部１３によって区画するとともに、この仕切部１３の上面全体に嵌合凹溝１４を形成し、
蓋体２０の天板２１裏面の、容器本体１０側の仕切部１３と同一位置に仕切部２３を形成するとともに、この仕切部２３の内端面に嵌合凹溝１４に収納する嵌合凸リブ２４を形成し、
仕切部１３の内端面の先端が、当該先端の全幅にわたり、嵌合凹溝１４の内側に位置していることを特徴とする電子レンジ対応食品用包装用容器１００」
である。
【００１３】
すなわち、この請求項１に係る包装用容器１００は、それぞれシート成形される容器本体１０と、これに嵌合される蓋体２０とからなるものであるが、容器本体１０内には収納物を区画するための仕切部１３が形成してあり、蓋体２０の内面側の、容器本体１０側の仕切部１３と同一位置に仕切部２３が形成してある。そして、この蓋体２０側の仕切部２３の下面に嵌合凸リブ２４を形成して、この嵌合凸リブ２４が、容器本体１０側の仕切部１３上端に形成した嵌合凹溝１４内に収納し得るようにしたものである。
【００１４】
この明細書中においては、「収納」という用語を次のように使用している。つまり、この嵌合凸リブ２４を嵌合凹溝１４内に「収納」した場合、容器本体１０の嵌合フランジ１２を蓋体２０の嵌合フランジ２２に「嵌合」したときのような密閉状態を維持した強い嵌め合わせの状態の意味も、これより密閉状態の要求がなくもっと緩い嵌め合わせの状態の意味も、さらには、嵌合凸リブ２４の先端が嵌合凹溝１４の内底面から部分的に少し浮いた状態の意味等、種々な段階を含むものである。ただし、この嵌合凸リブ２４を嵌合凹溝１４内に「収納」することによって、両者の横ズレがない状態となっていることは言うまでもない。
【００１５】
容器本体１０側の仕切部１３は、図２及び図３の各（ｂ）に示すように、シート成形によって底壁１１の一部をリブ状に突出させて形成したものであり、図１にも示すように、容器本体１０の収納室を、例えばご飯用部分、その他の惣菜部分に区画するものである。一方、蓋体２０側については、容器本体１０の仕切部１３に対する同一位置に仕切部２３を形成することによって、容器本体１０に蓋体２０を嵌合したとき、これらの仕切部１３及び仕切部２３によって包装用容器１００内に完全に仕切られた空間を形成するものである。この結果、包装用容器１００内の各収納室に収納したご飯等は、仕切部１３及び２３によって他に混入することはない。
【００１６】
また、この請求項１に係る包装用容器１００では、容器本体１０側の仕切部１３上面に形成した嵌合凹溝１４内に、蓋体２０側の仕切部２３下面に形成した嵌合凸リブ２４を収納させるのであるから、図４の（ａ）に示すように、各収納室に詰めた惣菜等の食材が蓋体２０側の嵌合凸リブ２４に直接接触するようなことが非常に少なくなる。このため、各収納室内に食材を詰めた包装用容器１００を電子レンジに掛けて加熱したとしても、食材が蓋体２０側の嵌合凸リブ２４に直接接触し難いため、蓋体２０側の嵌合凸リブ２４や仕切部２３が直ちに加熱されることはない。
【００１７】
従って、この請求項１に係る包装用容器１００は、内容物の仕切が行えて、容器毎電子レンジ等に掛けたとしても、蓋体２０等の変形を来すことのないように、内容物の接触による熱影響の回避が行えるものとなっているのである。
【００１８】
また、以上の課題を解決するために、請求項２に係る発明の採った手段は、上記請求項１に記載の包装用容器１００について、
「蓋体２０側の仕切部２３の幅を、容器本体１０側の仕切部１３上面の幅以下としたこと」
である。
【００１９】
この請求項２に係る包装用容器１００では、図２及び図３の各（ｂ）に示すように、図示上方から、つまり蓋体２０の天板２１上から包装用容器１００内の視認を行う場合、蓋体２０側の仕切部２３の幅が、容器本体１０側の仕切部１３上面の幅以下となっていることから、蓋体２０側の仕切部２３の影になる食材が存在しないことになる。
【００２０】
従って、この請求項２の包装用容器１００は、請求項１のそれと同様な機能を発揮する他、包装用容器１００内の視認性の確保を十分行えるのである。
【発明の効果】
【００２１】
以上説明した通り、本発明においては、
「底壁１１上方の開口周縁に嵌合フランジ１２を有する容器本体１０と、この容器本体１０の嵌合フランジ１２に内嵌合または外嵌合される嵌合フランジ２２を有し、この嵌合フランジ２２の内方より立ち上がる立上壁２１ａ上の天板２１とを有する蓋体２０とからなる電子レンジ対応食品用包装用容器１００であって、
容器本体１０は、フィラー入りポリプロピレンからなる合成樹脂シートをシート成形したものであり、
容器本体１０の収納室を、底壁１１から立ち上がる仕切部１３によって区画するとともに、この仕切部１３の上面全体に嵌合凹溝１４を形成し、
蓋体２０の天板２１裏面の、容器本体１０側の仕切部１３と同一位置に仕切部２３を形成するとともに、この仕切部２３の内端面に嵌合凹溝１４に収納する嵌合凸リブ２４を形成し、
仕切部１３の内端面の先端が、当該先端の全幅にわたり、嵌合凹溝１４の内側に位置していること」
にその構成上の主たる特徴があり、これにより、内容物の仕切が行えて、容器毎電子レンジ等に掛けたとしても、蓋体２０の変形を来すことのないように、内容物の接触による熱影響の回避が行える容器本体１０と蓋体２０とからなる包装用容器１００を提供することができるのである。
【図面の簡単な説明】
【００２２】
【図１】本発明に係る包装用容器１００の平面図である。
【図２】同包装用容器１００を正面からみた状態を示すもので、（ａ）は１線部以外を点線で示した正面図、（ｂ）は図１中の２−２線に沿って見た図２の（ａ）中の１線部の部分拡大縦断面図である。
【図３】同包装用容器１００を側面からみた状態を示すもので、（ａ）は３線部以外を点線で示した側面図、（ｂ）は図１中の４−４線に沿って見た図３の（ａ）中の３−３線部の部分拡大縦断面図である。
【図４】同包装用容器１００内に食材を詰めたときの様子を示すもので、（ａ）は本発明に係る包装用容器１００の蓋体２０における嵌合凸リブ２４と食材との位置関係を示す部分拡大縦断面図、（ｂ）は従来の包装用容器における嵌合部と食材との位置関係を示す部分拡大縦断面図である。
【図５】従来の技術を示すもので、（ａ）は特許文献２に示された容器における嵌合部分の部分拡大断面図、（ｂ）は特許文献３に示された容器における嵌合部分の部分拡大断面図である。
【図６】本発明の包装用容器１００を構成している容器本体１０の平面図である。
【図７】同容器本体１０の正面図である。
【図８】同容器本体１０の右側面図である。
【図９】同容器本体１０の左側面図である。
【図１０】同容器本体１０の背面図である。
【図１１】同容器本体１０の底面図である。
【図１２】同容器本体１０の、図６中のＡーＡ端面図である。
【図１３】同容器本体１０の、図６中のＢーＢ端面図である。
【図１４】同蓋体２０の平面図である。
【図１５】同蓋体２０の正面図である。
【図１６】同蓋体２０の右側面図である。
【図１７】同蓋体２０の左側面図である。
【図１８】同蓋体２０の背面図である。
【図１９】同蓋体２０の底面図である。
【図２０】同蓋体２０の、図１４中のＣーＣ端面図である。
【図２１】同蓋体２０の、図１４中のＤーＤ端面図である。
【図２２】同蓋体２０の、図１４中のＥーＥ端面図である。
【発明を実施するための形態】
【００２３】
以上のように構成した各請求項に係る発明を、図面に示した実施の形態である弁当用の包装用容器１００について説明すると、図１には本実施形態に係る包装用容器１００の平面図が示してあり、この包装用容器１００は、各々合成樹脂シートを材料とするシート成形した容器本体１０及び蓋体２０からなっているものである。
【００２４】
容器本体１０の材料は、耐熱温度が１３０℃のフィラー入りポリプロピレンであり、電子レンジに掛けたときの適正も、耐油性も良好なものである。また、このフィラー入りポリプロピレンは、厚さが０．３０ｍｍ〜０．６０ｍｍ程度（本実施形態では０．４５ｍｍ）のシート状のものとされるものであり、「シート成形」を行い易く、成形後には、弁当用容器として必要十分な剛性を有した容器本体１０とするものである。
【００２５】
一方、蓋体２０の材料は、何れの耐熱温度も８０℃である、２軸延伸ポリスチレン、または、２軸延伸ポリエチレンテレフタレートが採用され、両者共透明または半透明のシートとされる。また、両材料共、厚さが０．１５ｍｍ〜０．４０ｍｍ程度（本実施形態では０．２５ｍｍ）のシート状のものとされるものであり、電子レンジに掛けたときの適正は、上記容器本体１０の材料であるフィラー入りポリプロピレンよりは劣るが、蓋体２０としたときの必要最小限度の適正は有するものである。なお、それぞれの耐油性について、２軸延伸ポリスチレンは余りなく、２軸延伸ポリエチレンテレフタレートは十分となっているのである。
【００２６】
蓋体２０を以上のような材料によってシート成形することにより、耐熱性が容器本体１０より劣るものであったとしても、透明性または半透明性を確保できて、当該蓋体２０を通しての包装用容器１００内部の視認性を高めることができるのである。勿論、この蓋体２０の厚さを薄くもできることから、当該蓋体２０の材料費を低く抑えることができる。
【００２７】
さて、包装用容器１００を構成する容器本体１０は、図１〜図３に示したように、平面視略四角形状の底壁１１の周囲から側壁１１ａが立ち上がっているとともに、この側壁１１ａの外周には、後述する蓋体２０の嵌合フランジ２２が外側に嵌合される嵌合フランジ１２が形成してある。勿論、嵌合フランジ１２の内側に嵌合フランジ２２を嵌合する（内嵌合）ように実施しても構わない。そして、底壁１１の内部側には、図１に示したような仕切部１３が、底壁１１から立ち上がるようにして形成してある。
【００２８】
本実施形態における仕切部１３の平面視形状は、図１に示したように、略「Ｔ字形状」に連続させたもので、例えば左下の収納室にご飯を、上側の長い収納室にはピラフ等のご飯を、そして右下の収納室には焼きそば等の惣菜を詰められるようにしたものである。この底壁１１の形状としては、図１に示したものに限らず様々な態様のものが実施できるも
のであり、包装用容器１００内に何を詰めるかによって種々設計可能であることは言うまでもない。そして、この底壁１１の上端には、図２及び図３の各（ｂ）に示したような嵌合凹溝１４が形成されるのである。
【００２９】
また、この仕切部１３の縦断面形状は、図２及び図３の各（ｂ）に示したように、底壁１１に連なる裾部分が広くなる「山形形状」にしたものであり、上端の幅が５ｍｍ〜１５ｍｍに窄まるものとしたものである。このように、仕切部１３を山形形状にすることによって、仕切部１３を当該容器本体１０の補強リブとすることができることは勿論、当該仕切部１３の上端（蓋体２０側端部）に対する嵌合凹溝１４のシート成形を容易に行えるだけでなく、当該仕切部１３自体のシート成形や型抜を良好にすることができる。
【００３０】
そして、この仕切部１３の高さについては、当該容器本体１０の一番高いところ、例えば嵌合フランジ１２の上面に対して−２ｍｍ〜−４ｍｍとなるように設定してある。つまり、この仕切部１３の上端は、嵌合フランジ１２よりも少し低くなるようにしてあるのであり、これにより、仕切部１３によって区画されている収納室内への収納物の最大盛り付け量が仕切部１３の上端程度であることが示され、この位置を守ることによって、蓋体２０を閉じたときの食材の嵌合フランジ１２・２２間での噛み込みも防止できることになる。
【００３１】
この容器本体１０側の仕切部１３上端には、図２及び図３の（ｂ）に示したように嵌合凹溝１４が形成してあるが、この嵌合凹溝１４は、仕切部１３上端の略全体に亘って形成してあり、その交差部以外の幅は２ｍｍ〜３ｍｍで、深さは０．５ｍｍ〜１ｍｍ程度である。この嵌合凹溝１４内には、後述する蓋体２０側の嵌合凸リブ２４が収納することになる。
【００３２】
蓋体２０は、上述した材料によってシート成形したものであり、その外周縁には容器本体１０側の嵌合フランジ１２に内または外嵌合される嵌合フランジ２２を形成したものである。この嵌合フランジ２２から立ち上がる立上壁２１ａの上端には、包装用容器１００内の視認が行い易くするように平面的にした天板２１が形成してある。この天板２１の内面の、上記容器本体１０側の仕切部１３と同一位置には仕切部２３が形成してあって、この仕切部２３の内端には、図２及び図３の（ｂ）に示したように、容器本体１０側の嵌合凹溝１４内に収納される嵌合凸リブ２４が形成してある。この嵌合凸リブ２４や仕切部２３の高さは、これが収納されるべき容器本体１０側の嵌合凹溝１４の形状に応じて決められるが、その幅については、容器本体１０側の仕切部１３上面の幅以下となるようにして、当該仕切部２３や嵌合凸リブ２４が蓋体２０を通しての包装用容器１００内の視認が良好に行えるようにしたものである。
【符号の説明】
【００３３】
１００    包装用容器
１０    容器本体
１１    底壁
１１ａ  側壁
１２    嵌合フランジ
１３    仕切部
１４    嵌合凹溝
２０    蓋体
２１    天板
２１ａ  立上壁
２２    嵌合フランジ
２３    仕切部
２４    嵌合凸リブ
【図１】
0006619566.tif 000002
【図２】
0006619566.tif 000003
【図３】
0006619566.tif 000004
【図４】
0006619566.tif 000005
【図５】
0006619566.tif 000006
【図６】
0006619566.tif 000007
【図７】
0006619566.tif 000008
【図８】
0006619566.tif 000009
【図９】
0006619566.tif 000010
【図１０】
0006619566.tif 000011
【図１１】
0006619566.tif 000012
【図１２】
0006619566.tif 000013
【図１３】
0006619566.tif 000014
【図１４】
0006619566.tif 000015
【図１５】
0006619566.tif 000016
【図１６】
0006619566.tif 000017
【図１７】
0006619566.tif 000018
【図１８】
0006619566.tif 000019
【図１９】
0006619566.tif 000020
【図２０】
0006619566.tif 000021
【図２１】
0006619566.tif 000022
【図２２】
0006619566.tif 000023